(57)【要約】【課題】キャリーバッグ内のペットに優れた冷却効果を提供することによってペットに熱中症対策及び快適な環境提供を実現することが可能なペットキャリーバッグを提供する。【解決手段】  底面と、前記底面から立ち上がる前壁と、前記前壁と対向するように前記底面から立ち上がり上端において前記前壁に接続する後壁と、前記底面、前記前壁及び前記後壁によって形成された開口を開閉自在に閉じる側壁と、を含み、ペットの居住空間を提供する本体と、前記側壁に設けられたファンと、を具備することを特徴とするファン付きペットキャリーバッグ。【選択図】図１
0003230943.tif 000002
【実用新案登録請求の範囲】
【請求項１】
底面と、前記底面から立ち上がる前壁と、前記前壁と対向するように前記底面から立ち上がり上端において前記前壁に接続する後壁と、前記底面、前記前壁及び前記後壁によって形成された開口を開閉自在に閉じる側壁と、を含み、ペットの居住空間を提供する本体と、
前記側壁に設けられたファンと、
を具備することを特徴とするファン付きペットキャリーバッグ。
【請求項２】
前記前壁が、外部から前記居住空間内を視認できる通気性窓を含むこと、
を特徴とする請求項１に記載のファン付きペットキャリーバッグ。
【請求項３】
前記居住空間内に、前記ファンを覆う通気性カバーを具備すること、
を特徴とする請求項１又は２に記載のファン付きペットキャリーバッグ。
【考案の詳細な説明】
【技術分野】
【０００１】
本考案は、ペットを好適に冷却可能なファン付きペットキャリーバッグに関する。
【背景技術】
【０００２】
近年、高気温下での作業や運動から引き起こされる熱中症が問題視されている。熱中症対策及び快適な作業環境を提供するために、人の身体を冷却しつつ作業や運動を可能とする空調衣服が知られている（例えば、特許文献１参照）。ここに空調衣服とは、衣服用ファンが装着された衣服である。
【先行技術文献】
【特許文献】
【０００３】
【特許文献１】国際公開第０２／０６７７０８号パンフレット
【考案の概要】
【考案が解決しようとする課題】
【０００４】
ところで、高気温下に曝されることの悪影響は、人に限られず、ペットにも当てはまる。すなわち、キャリーバッグに収容されたペットは、行動を著しく制限され、暑さを回避することができないことから、熱中症対策及び快適な環境提供を実現するために何らかの対策が望まれる。
【０００５】
そこで、本考案の目的は、キャリーバッグ内のペットに優れた冷却効果を提供することによってペットに熱中症対策及び快適な環境提供を実現することが可能なペットキャリーバッグを提供することにある。
【課題を解決するための手段】
【０００６】
上記の課題を解決すべく、本考案は、
底面と、前記底面から立ち上がる前壁と、前記前壁と対向するように前記底面から立ち上がり上端において前記前壁に接続する後壁と、前記底面、前記前壁及び前記後壁によって形成された開口を開閉自在に閉じる側壁と、を含み、ペットの居住空間を提供する本体と、
前記側壁に設けられたファンと、
を具備することを特徴とするファン付きペットキャリーバッグを提供する。
【０００７】
上記の本考案のファン付きペットキャリーバッグにおいては、前記前壁が、外部から前記居住空間内を視認できる通気性窓を含むこと、が好ましい。
【０００８】
また、上記の本考案のファン付きペットキャリーバッグにおいては、前記居住空間内に、前記ファンを覆う通気性カバーを具備すること、が好ましい。
【考案の効果】
【０００９】
本考案によれば、キャリーバッグ内のペットに優れた冷却効果を提供することによってペットに熱中症対策及び快適な環境提供を実現することが可能なペットキャリーバッグを提供することができる。
【図面の簡単な説明】
【００１０】
【図１】本考案の一実施形態に係るファン付きペットキャリーバッグ１の斜視図である。
【図２】ファン付きペットキャリーバッグ１の正面図、背面図及び上面図である。
【図３】居住空間Ａの説明図である。
【図４】通気性カバー４２４の説明図である。
【考案を実施するための形態】
【００１１】
以下、本考案に係るファン付きペットキャリーバッグの代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１２】
図１に示すように、ファン付きペットキャリーバッグ１（以下、キャリーバッグ１という。）は、本体２及びファン４を備える。ここで、ファン４はファン４１，４２の総称であって、バッテリＢによって電力を供給され、スイッチＳによりオン・オフ及び風量を調節される。
【００１３】
図３（Ｂ）に示すように、本体２は、ペットＰの居住空間ないし収容空間Ａを提供するものであり、概ね箱状を呈している。本体２は、底面２１、前壁２２、後壁２３及び側壁２４，２５を含む。
【００１４】
図１に示すように、前壁２２は、底面２１から立ち上がる部材であり、通気性窓２２１を含む。通気性窓２２１は例えばメッシュ地で作製されており、通気性窓２２１を通して内外の空気が流れるとともに、通気性窓２２１を通して外部から居住空間Ａ内（ペットＰ）を視認できる。通気性窓２２１はスライドファスナ等によって開閉可能とされており、ユーザは通気性窓２２１から居住空間Ａに手や物を差し入れることができる。
【００１５】
図２（Ａ）に示すように、前壁２２には、バッテリＢ等を収納するためのポケット２２２が取り付けられていてもよい。前壁２２には、バッテリＢに接続されるケーブルＣを居住空間Ａに導くための孔が形成されていてもよい（図３（Ａ）参照）。
【００１６】
後壁２３は、前壁２２と対向するように底面２１から立ち上がる。後壁２３は、上端において前壁２２に接続している。なお、前壁２２と後壁２３との接続領域を本体２の上面と呼んでもよい。
【００１７】
例えば図２（Ｂ）に示すように、後壁２３には、ユーザがキャリーバッグ１を背負うための一対の肩紐６１，６２が取り付けられていてもよい。また、本体２の上面には、ユーザがキャリーバッグ１を把持するための持ち手６３が取り付けられていてもよい。
【００１８】
側壁２４，２５は、底面２１、前壁２２及び後壁２３（の縁部）によって形成される２つの開口をそれぞれ開閉自在に閉じる。側壁２４，２５は、後壁２３に連結されており、ファスナ３１，３２を介してそれぞれの対応する開口を開閉する。ここでは、ファスナ３１，３２としてスライドファスナが用いられているが、面ファスナやボタンなどの他の種類のファスナが用いられてもよい。
【００１９】
図１に示すように、側壁２５には、ファン４を取り付けるための取付孔２５１が形成され、側壁２４にも同様の取付孔（図示せず）が形成されている。これらの取付孔は、ファン４が取り外されている際には、図示しないカバーで覆われていてもよい。
【００２０】
したがって、ファン４（４１，４２）は、上記の取付孔を介して側壁２４，２５に着脱自在に取り付けられる。ファン４を使用しない場合には、ユーザは、ファン４を取付孔から取り外し、取付孔をカバーで覆った状態で、キャリーバッグ１を使用してもよい。
【００２１】
側壁２５には、キャリーバッグ１内外の空気を入れ替えるための通気口２５３が形成されており、側壁２４にも同様の通気口（図示せず）が形成されている。
【００２２】
例えば図３（Ｂ）に示すように、本体２の居住空間Ａ内には、ファン４１，４２を覆う通気性カバー２４２，２５２が設けられている。通気性カバー２４２，２５２は例えばメッシュ生地で作製されており、ファン４をペットＰから守るために居住空間Ａ側からファン４を覆っている。あるいは、通気性カバー２４２，２５２は、ペットＰをファン４（４１，４２）から守っているとも言える。
【００２３】
図１及び図４（Ａ），（Ｂ）に示すように、通気性カバー２４２は面ファスナ２４４を介して側壁２４に着脱自在に留められており、通気性カバー２５２もまた面ファスナ２５４を介して側壁２５に着脱自在に留められている。これにより、ファン４の着脱の利便性の確保とペットＰの安心の両方を図っている。
【００２４】
図３（Ａ）に示すように、ファン４、バッテリＢ及びスイッチＳはケーブルＣを介して互いに接続されている。ケーブルＣは、ペットＰからなるべく見えないように（ペットＰに触れないように）配線されている。つまり、ケーブルＣは、居住空間Ａではカバー３５、底板３６、通気性カバー２４２，２５２等で覆われ、ペットＰがケーブルＣを爪で引っ掻くことを防止している。
【００２５】
ファン４のスイッチＳは、ユーザ（ペットＰの飼い主等）が操作しやすいように、本体２の上面に配置されている。本実施形態では、スイッチＳは、電源のオン・オフ、強・中・弱の風量切替を行うことができる。
【００２６】
以上のとおり、本実施形態のキャリーバッグ１では、ファン４により、居住空間Ａ内のペットＰに優れた冷却効果を提供することができ、ペットＰに熱中症対策及び快適な環境提供を実現することが可能である。併せて、ユーザは窓２２１を通して居住空間Ａ内のペットＰの様子を視認できるため、安心である。
【００２７】
また、ファン４とペットＰとの間に通気性カバー２４２，２５２が介在するため、ファン４がペットＰとの接触（例えば引っ掻き）によって傷つくことが防止されるとともに、ペットＰがファン４により傷付くことも防止される。
【００２８】
なお、保管時又は不使用時には、側壁２４，２５を開くことで、キャリーバッグ１をコンパクトに折り畳むことができる。
【００２９】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【００３０】
例えば、本実施形態では、側壁２４，２５の両方が開閉自在に設けられているが、２つの側壁のうち一方のみが開閉可能としてもよい。また、ファン４は、側壁２４，２５のいずれか一方にのみ装着されるものとしてもよい。
【符号の説明】
【００３１】
１    ファン付きペットキャリーバッグ
２    本体
４，４１，４２    ファン
２１  底面
２２  前壁
２３  後壁
２４，２５  側壁
Ａ    居住空間
【図１】
0003230943.tif 000003
【図２】
0003230943.tif 000004
【図３】
0003230943.tif 000005
【図４】
0003230943.tif 000006